(57)【要約】      （修正有）【課題】効果的に放熱を行い、ドライバの温度上昇によるトラブルを防止する表示装置およびテレビジョン受信機を提供する。【解決手段】表示装置は、映像を表示する表示パネル２３と、表示パネル２３の周縁に接続され表示パネル２３の背面側に屈曲した軟性基板２４と、前記軟性基板に固定された集積回路と、表示パネル２３の縁よりも外側に配置されており、集積回路または軟性基板２４の集積回路が固定された部分の裏側に接触する接触部を有する放熱板５１，５２とを備える。【選択図】図２
2017053905.tif 000002
【特許請求の範囲】
【請求項１】
映像を表示する表示パネルと、
前記表示パネルの周縁に接続され該表示パネルの背面側に屈曲した軟性基板と、
前記軟性基板に固定された集積回路と、
前記表示パネルの縁よりも外側に配置されており、前記集積回路または前記軟性基板の前記集積回路が固定された部分の裏側に接触する接触部を有する放熱板と
を備える表示装置。
【請求項２】
前記軟性基板は、前記表示パネルに接続された部分と前記集積回路が固定された部分との間で屈曲している請求項１に記載の表示装置。
【請求項３】
前記放熱板は、前記接触部において前記表示パネルに対して垂直である請求項１または請求項２に記載の表示装置。
【請求項４】
前記放熱板は、アルミニウム合金製である請求項１から請求項３のいずれか一つに記載の表示装置。
【請求項５】
請求項１から４のいずれか一つに記載の表示装置と、
テレビジョン放送を受信する受信部と
を備え、
前記受信部にて受信したテレビジョン放送に基づいて、前記表示装置に映像を表示するようにしてあるテレビジョン受信機。
【発明の詳細な説明】
【技術分野】
【０００１】
本発明は、画像を表示する表示装置およびテレビジョン受信機に関する。
【背景技術】
【０００２】
表示パネルの周縁に接続されたＦＰＣ（Flexible printed circuits）上に実装されたドライバが発生する熱を、表示パネルの縁を覆う前枠に伝達する表示装置が開示されている（特許文献１）。
【先行技術文献】
【特許文献】
【０００３】
【特許文献１】特開２００９−１４９００号公報
【発明の概要】
【発明が解決しようとする課題】
【０００４】
高精細の表示装置では、多数の画素を制御するために多数のドライバが必要である。ドライバは、発熱量の多い集積回路である。一方、前枠は表示装置の表示面側の外装部品であるため、外観上の美観を優先して設計される場合が多い。そのため、特許文献１に開示された構造では放熱面積を確保して十分な放熱を行うことが難しかった。放熱が不十分である場合には、ドライバの温度が上昇して動作不良または故障が発生するおそれがある。
【０００５】
本発明は、効果的に放熱を行い、ドライバの温度上昇によるトラブルを防止する表示装置等を提供することを目的とする。
【課題を解決するための手段】
【０００６】
本発明にかかる表示装置は、映像を表示する表示パネルと、前記表示パネルの周縁に接続され該表示パネルの背面側に屈曲した軟性基板と、前記軟性基板に固定された集積回路と、前記表示パネルの縁よりも外側に配置されており、前記集積回路または前記軟性基板の前記集積回路が固定された部分の裏側に接触する接触部を有する放熱板とを備える。
【０００７】
本発明にかかる表示装置は、前記軟性基板は、前記表示パネルに接続された部分と前記集積回路が固定された部分との間で屈曲している。
【０００８】
本発明にかかる表示装置は、前記放熱板は、前記接触部において前記表示パネルに対して垂直である。
【０００９】
本発明にかかる表示装置は、前記放熱板は、アルミニウム合金製である。
【００１０】
本発明にかかるテレビジョン受信機は、上述のいずれか一つに記載の表示装置と、テレビジョン放送を受信する受信部とを備え、前記受信部にて受信したテレビジョン放送に基づいて、前記表示装置に映像を表示するようにしてある。
【発明の効果】
【００１１】
効果的に放熱を行い、ドライバの温度上昇によるトラブルを防止する表示装置等を提供することができる。
【図面の簡単な説明】
【００１２】
【図１】表示装置の外観斜視図である。
【図２】表示装置の主要部の分解斜視図である。
【図３】表示パネルの部分拡大図である。
【図４】表示装置の構成図である。
【図５】ホルダの斜視図である。
【図６】ホルダの正面図である。
【図７】ホルダの側面図である。
【図８】ホルダの断面図である。
【図９】収容体の背面図である。
【図１０】収容体の部分拡大背面図である。
【図１１】収容体および第１放熱板の斜視拡大図である。
【図１２】収容体および第１放熱板の斜視拡大図である。
【図１３】表示装置の断面の部分拡大図である。
【図１４】表示装置の断面の部分拡大図である。
【図１５】ホルダの取付方法を示す説明図である。
【図１６】ホルダの取付方法を示す説明図である。
【図１７】実施の形態２の第１放熱板の斜視図である。
【図１８】実施の形態２の第１放熱板の部分拡大斜視図である。
【図１９】実施の形態２の表示装置の斜視断面拡大図である。
【図２０】実施の形態３の表示装置の斜視断面拡大図である。
【発明を実施するための形態】
【００１３】
［実施の形態１］
図１は、表示装置の外観斜視図である。表示装置１０は、表示パネル２３、前枠１３、背面筐体１９、入力基板１４および制御基板１５を備える。以下の説明では、各図中に矢印で示す前、後、左、右、上および下のそれぞれの向きを使用する。
【００１４】
表示装置１０の内部に設けられた入力基板１４は、外部からの映像信号の入力を受け付けて、所定の信号処理を行ない出力する基板である。表示装置１０の内部に設けられた制御基板１５は、入力基板１４から出力された信号を受け付けて、後述するソース基板２５（図２参照）およびゲート基板２７（図２参照）を制御する信号を出力する基板である。
【００１５】
表示パネル２３は液晶パネルである。表示パネル２３は、入力基板１４が受け付けた映像信号に基づいた映像を前面に表示する。表示パネル２３の縁は、前枠１３で覆われている。
【００１６】
背面筐体１９は、表示装置１０の背面および側面を覆う樹脂製の外装部材である。背面筐体１９の上面および背面には、図示しない多数の通気孔が設けられている。通気孔は、直径２ミリメートル程度の孔である。本実施の形態においては、上下方向の寸法よりも左右方向の寸法の方が長い矩形の表示パネル２３を使用する。
【００１７】
本実施の形態の表示装置１０は、高精細、高画質の映像を表示する装置である。たとえば８Ｋのスーパーハイビジョンの規格は、画素数、フレームレートおよび色域のそれぞれが従来のハイビジョンより大きくなっている。そのため、表示装置１０で必要とされる画像処理の規模が大きく、多数の回路基板を表示装置１０の内部に搭載する必要がある。また、個々の画素を駆動するドライバ２９（図３参照）には高い負荷がかかるため、発熱量が大きくなる。
【００１８】
図２は、表示装置１０の主要部の分解斜視図である。図２は、表示装置１０の右後方から見た図である。図２を使用して、表示装置１０の主要部について説明する。
【００１９】
表示装置１０は、前述した前枠１３、背面筐体１９、表示パネル２３と共に、側面筐体１６、光学シート１７、収容体３１、ホルダ４１、第１放熱板５１および第２放熱板５２を備える。
【００２０】
側面筐体１６は、表示パネル２３の側面を覆う矩形枠形状の外装部材である。側面筐体１６は樹脂製である。光学シート１７は、後側から照射される光を表示パネル２３の背面に均一に照射する樹脂製のシートである。光学シート１７は、拡散シート、レンズシート、偏光シート等、複数のシートを含む。光学シート１７は、表示パネル２３と略同一形状である。
【００２１】
収容体３１は、前側が開口した金属製の箱体である。収容体３１の前側の縁は、表示パネル２３の４辺に沿っている。収容体３１の形状については後述する。収容体３１の内部には、ＬＥＤ（Light Emitting Diode）基板３４（図１３参照）が収容されている。収容体３１の後側には、入力基板１４、制御基板１５、４本の取付金具２１、配線部材等が固定されている。
【００２２】
取付金具２１は、収容体３１の後側に突出する棒状部材である。取付金具２１には、雌ねじを有するねじ穴が前後方向に設けられている。
【００２３】
ホルダ４１は、収容体３１に複数固定される部材である。ホルダ４１は樹脂の射出成形により一体形成された部材である。ホルダ４１の形状、および配置については後述する。
【００２４】
第１放熱板５１は、収容体３１の上辺および下辺に沿って固定される高熱伝導材料製の部材である。第１放熱板５１は、表示パネル２３の長辺と略同一長さの長板状部材である。第２放熱板５２は、収容体３１の右辺および左辺に沿って固定される高熱伝導材料製の部材である。第２放熱板５２は、表示パネル２３の短辺と略同一長さの長板状部材である。第１放熱板５１および第２放熱板５２の形状の詳細については後述する。
【００２５】
第１放熱板５１および第２放熱板５２は、アルミニウム合金または銅合金等の高熱伝導性金属の押出成形品である事が望ましい。また、アルミニウム合金板または銅合金板を曲げ加工して第１放熱板５１および第２放熱板５２を製作しても良い。高熱伝導性グレードのナイロン樹脂、ポリカーボネート樹脂等の高熱伝導性樹脂を射出成形して第１放熱板５１および第２放熱板５２を製作しても良い。第１放熱板５１と第２放熱板５２とは、同じ素材製であっても、異なる素材製であっても良い。
【００２６】
背面筐体１９は、４個の取付孔２２を有する。取付孔２２は、取付金具２１に対応する位置に設けられている。表示装置１０が組み立てられた状態では、取付孔２２の内側に取付金具２１が位置する。取付金具２１の雌ねじに、フック等を固定することにより、スタンドまたは壁面に表示装置１０を固定することができる。なお、取付金具２１の雌ねじの配置は、ＶＥＳＡ（Video Electronics Standards Association）規格に適合していることが望ましい。
【００２７】
図３は、表示パネル２３の部分拡大図である。図３は、図２に示す表示パネル２３の右上の角付近を拡大した図である。図２および図３を使用して、表示パネル２３の周縁部に固定された部品について説明する。
【００２８】
表示パネル２３の上辺および下辺に沿って、複数のドライバ基板２４が接続されている。ドライバ基板２４は、一方の長辺が表示パネル２３に固定された矩形の軟性基板である。ドライバ基板２４には、たとえばポリイミド製シートと金属製の配線パターンとを積層したＦＰＣを使用する。ドライバ基板２４は、表示パネル２３の背面側に屈曲して引き出され、端部にソース基板２５が接続されている。
【００２９】
ソース基板２５は、長方形の回路基板である。ソース基板２５の端縁に沿って、複数のソースコネクタ２６が実装されている。ソース基板２５の左右の両端には、接続コネクタ２８が実装されている。
【００３０】
表示パネル２３の右辺および左辺に沿って、複数のドライバ基板２４が接続されている。ドライバ基板２４は、表示パネル２３の背面側に屈曲して引き出され、端部にゲート基板２７が接続されている。
【００３１】
ゲート基板２７は、長方形の回路基板である。ゲート基板２７の左右の両端には、接続コネクタ２８が実装されている。
【００３２】
図２に示すように、表示パネル２３の上辺および下辺のそれぞれに沿って４枚ずつ、合計８枚のソース基板２５が配置されている。表示パネル２３の右辺および左辺のそれぞれに沿って２枚ずつ、合計４枚のゲート基板２７が固定されている。隣接するソース基板２５同士、隣接するゲート基板２７同士および隣接するソース基板２５とゲート基板２７とは、それぞれ接続コネクタ２８および図示しない配線部材を介して接続されている。
【００３３】
ドライバ基板２４の裏側には、矩形のドライバ２９が実装されている。ドライバ基板２４は、表示パネル２３との接続部とドライバ２９が固定された部分との間で約９０度屈曲している。ドライバ２９は、ソース基板２５またはゲート基板２７から入力された信号に基づいて表示パネル２３の各画素を駆動する駆動信号を出力する集積回路である。なお、ドライバ２９は、表示パネル２３の近傍に配置する集積回路の一例である。
【００３４】
図４は、表示装置１０の構成図である。図４を使用して、ソース基板２５、ゲート基板２７およびドライバ２９について説明する。映像信号が外部から入力基板１４に入力する。入力基板１４から制御基板１５に伝達された映像信号は、制御基板１５で処理される。制御基板１５から出力された信号は、ソースコネクタ２６を介してソース基板２５に入力する。ソース基板２５に入力した信号は、接続コネクタ２８を介してゲート基板２７に、ドライバ基板２４上の回路を介してドライバ２９に、それぞれ入力する。ゲート基板２７に入力した信号は、ドライバ基板２４上の回路を介してドライバ２９に入力する。
【００３５】
ソース基板２５側のドライバ２９が出力する駆動信号とゲート基板２７側のドライバ２９が出力する駆動信号との組み合わせにより、表示パネル２３の前側の表示面に映像が表示される。
【００３６】
図５は、ホルダ４１の斜視図である。図６は、ホルダ４１の正面図である。図７は、ホルダ４１の側面図である。図８は、ホルダ４１の断面図である。図８は、図６に示すホルダ４１のＢ−Ｂ線による断面図である。図５から図８を使用して、ホルダ４１の形状について説明する。
【００３７】
ホルダ４１は、矩形のホルダ土台４２の中央部の上面に、上後方に斜めに向かう押さえ爪４３を有する。押さえ爪４３の先端は、円弧状である。ホルダ土台４２の左右の両側面の中央部から外側に向けて、矩形の押さえ板４６が突出している。押さえ板４６の下面は、ホルダ土台４２の下面と同一面である。
【００３８】
押さえ板４６の後方に、ホルダ土台４２の下面の左右の縁から下向きに伸びた後に、左右方向の外向きに突出し、全体としてＬ字板形状をなす固定爪４５が設けられている。ホルダ土台４２の後側の辺に沿ってホルダ土台４２よりも上側に突出したホルダ後縁部４４が設けられている。
【００３９】
押さえ爪４３の後側には、上側を減肉した薄肉部４７が設けられている。薄肉部４７の下面は、ホルダ土台４２の下面と同一面である。薄肉部４７は、前側の一辺のみでホルダ土台４２に繋がり、左右はホルダ土台４２から離れた舌状部である。薄肉部４７の下面には円筒形の下側突起４８が設けられている。薄肉部４７の上面には先端が丸い略円筒形の上側突起４９が設けられている。
【００４０】
図９は、収容体３１の背面図である。図１０は、収容体３１の部分拡大背面図である。図１０は、図９に示す収容体３１の右上部を拡大した図である。図９および図１０を使用して、収容体３１の形状およびホルダ４１の配置について説明する。
【００４１】
収容体３１は、略矩形の平面部３１１と、平面部３１１の周縁から斜め外向きに立ち上がる傾斜部３１２とを有する。傾斜部３１２は、平面部３１１の４辺に沿って配置された長板状の鋼板を含む。収容体３１を構成する各鋼板は、ねじ等により連結されている。
【００４２】
収容体３１の上辺および下辺に沿った傾斜部３１２には、それぞれ１２個のホルダ４１が固定されている。収容体３１の右辺および左辺に沿った傾斜部３１２には、それぞれ６個のホルダ４１が固定されている。各ホルダ４１は、固定爪４５の先端が収容体３１の縁を向く向きで固定されている。固定爪４５とホルダ土台４２との間に、ソース基板２５またはゲート基板２７が差し込まれている。ホルダ４１は、ソース基板２５またはゲート基板２７の１枚について３個のホルダ４１が対応するように配置されている。ホルダ４１を傾斜部３１２に固定する部分の構造については後述する。
【００４３】
図１１および図１２は、収容体３１および第１放熱板５１の斜視拡大図である。図１１は、第１放熱板５１を固定した収容体３１の上部を斜め右後方から見た図である。図１２は、図１１の一部をさらに拡大した図である。図１１および図１２を使用して、第１放熱板５１の形状について説明する。
【００４４】
前述のとおり、第１放熱板５１は表示パネル２３の長辺と略同一長さの長板状の部材である。第１放熱板５１の一方の長辺は、表示装置１０の上側の辺に沿って配置される。第１放熱板５１は、収容体３１の傾斜部３１２に沿って斜め下後方に向かい、他方の長辺の近傍で下向きに屈曲している。
【００４５】
第１放熱板５１は、矩形の配線孔５４を８個備える。配線孔５４は、ソース基板２５のソースコネクタ２６に対応する場所に配置されている。配線孔５４は、制御基板１５とソース基板２５とを接続する配線部材が挿通される孔である。
【００４６】
なお、表示装置１０の下辺に沿って配置された第１放熱板５１も、図１１および図１２を使用して説明した第１放熱板５１と同様の形状である。また、表示装置１０の左辺および右辺に沿って配置されている第２放熱板５２は、図２に示すように配線孔５４を中央部に１個だけ備える他は、第１放熱板５１と同様の形状である。
【００４７】
図１３および図１４は、表示装置１０の断面の部分拡大図である。図１３は、図１のＡ−Ａ線による断面図である。図１４は、図１３の一部をさらに拡大した断面図である。図１３および図１４を使用して、表示装置１０の構造を説明する。
【００４８】
表示パネル２３および光学シート１７の後側に、収容体３１が配置されている。平面部３１１の前側には、前側に複数の白色ＬＥＤを備えるＬＥＤ基板３４が固定されている。傾斜部３１２およびＬＥＤ基板３４の前側には、複数の孔を備える反射シート３５が固定されている。白色ＬＥＤは、反射シート３５に設けられた孔を通って反射シート３５の前側に出ている。
【００４９】
傾斜部３１２の後側に、ホルダ４１が押さえ爪４３を斜め上前方に向けて固定されている。ホルダ４１の下側突起４８は、傾斜部３１２に設けられた孔に挿入されている。ホルダ４１を傾斜部３１２に取り付ける方法については後述する。
【００５０】
表示パネル２３の縁で後側に屈曲したドライバ基板２４に接続されたソース基板２５が、押さえ爪４３とホルダ土台４２との間に差し込まれている。ソースコネクタ２６には、ソース基板２５と制御基板１５とを繋ぐ配線材５７が接続されている。配線材５７は、複数の絶縁被覆付きケーブルを帯状に並べて長さ方向にわたって融着したフラットケーブルである。
【００５１】
ドライバ基板２４の上側からホルダ４１の後側にかけて、第１放熱板５１が配置されている。第１放熱板５１の前側は、表示パネル２３に対して垂直である。なお、ここで垂直とは９０度ちょうどに限定するものではない。第１放熱板５１の前側が表示パネル２３に対してたとえば５度程度傾斜していても良い。
【００５２】
ドライバ基板２４は弾性により第１放熱板５１の下面の接触部５５に接触している。ドライバ基板２４の接触部５５に接触している部分の下側に、ドライバ２９が実装されている。
【００５３】
表示パネル２３の前側の縁および第１放熱板５１の上側の縁は、前枠１３で覆われている。前枠１３の上側は、側面筐体１６で覆われている。第１放熱板５１の背面および収容体３１の平面部３１１は、背面筐体１９で覆われている。側面筐体１６、第１放熱板５１および背面筐体１９は、筐体固定ねじ５９で締結されている。
【００５４】
図１５および図１６は、ホルダ４１の取付方法を示す説明図である。図１５および図１６を使用して、傾斜部３１２にホルダ４１を取り付ける方法について説明する。
【００５５】
ホルダ４１を取り付ける部分の形状について、表示パネル２３の上側の縁に沿った傾斜部３１２を例にして説明する。傾斜部３１２のホルダ４１を取り付ける部位には、２個のＬ型孔３１３と１個の丸型孔３１４が設けられている。Ｌ型孔３１３は、固定爪４５の先端側を通過させる事が可能な幅広部の前側に、固定爪４５の先端側を通過させる事はできないが、固定爪４５の基端側を通過させる事は可能な幅狭部が連続した、全体としてＬ字型の孔である。２個のＬ型孔３１３の形状は、鏡像の関係になっている。２個のＬ字孔３１３は、ホルダ４１の２個の固定爪４５の先端側を同時に通過させる事が可能な位置に配置されている。丸型孔３１４は、２個のＬ型孔３１３の中央の後側に配置されている。
【００５６】
傾斜部３１２にホルダ４１を取り付ける手順について説明する。傾斜部３１２の上側から、ホルダ４１の２個の固定爪４５がＬ型孔３１３の幅広部に挿入される。この際、ホルダ４１は押さえ爪４３が後側から前側に向かう向きに配置されている。ホルダ土台４２の下側の面が傾斜部３１２に押し当てられることにより、薄肉部４７の下側にある下側突起４８が傾斜部３１２に当接し、薄肉部４７が上側に撓む。
【００５７】
ホルダ土台４２の下側の面と、傾斜部３１２の上側の面とを当接させた状態で、ホルダ４１を前側に動かすと、固定爪４５の先端部が傾斜部３１２の下側に入り、固定爪４５の先端部と押さえ板４６との間に傾斜部３１２が挟まれる。また、下側突起４８が丸型孔３１４に入り、ホルダ４１が所定の位置に固定される。以上により、ホルダ４１が傾斜部３１２に取り付けられる。
【００５８】
表示パネル２３の下側、右側および左側の縁でも同様の構造により、傾斜部３１２にホルダ４１が固定され、ソース基板２５またはゲート基板２７が、押さえ爪４３とホルダ土台４２との間に差し込まれる。
【００５９】
本実施の形態の作用について説明する。表示パネル２３の縁にドライバ基板２４を介して接続されたソース基板２５およびゲート基板２７は、傾斜部３１２に固定されたホルダ４１の押さえ爪４３とホルダ土台４２との間に差し込まれる。これにより、輸送時、使用時等にソース基板２５およびゲート基板２７が動いて断線等が発生する事を防止できる。すなわち、多数の回路基板を有する高精細の表示装置１０を実現することができる。
【００６０】
また、ドライバ２９で発生した熱は、ドライバ基板２４を介して第１放熱板５１または第２放熱板５２に伝わる。第１放熱板５１および第２放熱板５２は、表示装置１０の内部に設けられた冷却ファン等の冷却装置により冷却される。第１放熱板５１および第２放熱板５２により加熱された空気は背面筐体１９の上面および背面に設けられた多数の通気孔から表示装置１０の外部に流出する。以上により、ドライバ２９で発生した熱は、表示装１０の外部に放熱され、ドライバ２９の過熱が防止される。
【００６１】
本実施の形態によると、熱によるドライバ２９の動作不良、故障等の問題の発生を避けることができる。また、ドライバ２９が実装されたドライバ基板２４が弾性により第１放熱板５１または第２放熱板５２に押し付けられることにより、ドライバ基板２４から第１放熱板５１または第２放熱板５２に熱が直接伝達される。そのため、熱伝導グリース、熱伝導ゴム等の伝熱部材を使用して熱伝導を補助する必要がない。さらに、ソース基板２５およびゲート基板２７が収容体３１の傾斜部３１２に沿って表示パネル２３の後方に配置されるので、多数のソース基板２５およびゲート基板２７を使用する場合の表示装置１０の小型化に有利である。
【００６２】
なお、ドライバ２９と第１放熱板５１または第２放熱板５２との間に、少量の熱伝導グリースを塗布しても良い。このようにして熱伝導を補助することにより、さらに効率良く放熱を行うことができる。
【００６３】
入力基板１４に、テレビジョン放送のアンテナを接続するアンテナ端子およびテレビジョン放送の電波を受信するチューナ回路を備えたテレビジョン受信部を搭載する事により、表示装置１０をテレビジョン受信機に構成することができる。テレビジョン受信部が受信した放送信号に所定の処理を行い、映像信号と音声信号とに分離する。映像信号に基づき表示パネル２３に映像が表示される。音声信号は、図示しないスピーカーまたは音声出力端子を介して接続された外部スピーカーにより音に変換して出力される。なお、入力基板１４に、アンテナ端子の代わりにテレビジョン放送受信用のアンテナを搭載しても良い。
【００６４】
表示装置１０をテレビジョン受信機として使用することにより、熱によるドライバ２９の動作不良、故障等の問題の発生を避けたテレビジョン受信機を提供することができる。
【００６５】
［実施の形態２］
本実施の形態は、ドライバ２９の熱を受け取る部分と他の部材に固定する部分とを分けて、効率的に放熱を行うことが可能な放熱板を備える表示装置１０に関する。実施の形態１と共通する部分については、説明を省略する。
【００６６】
図１７は、実施の形態２の第１放熱板５１の斜視図である。図１８は、実施の形態２の第１放熱板５１の部分拡大斜視図である。図１８は、図１７に記載した第１放熱板５１の右端を拡大した部分拡大図である。図１７および図１８を使用して、本実施の形態の第１放熱板５１および第２放熱板５２について説明する。
【００６７】
本実施の形態においても、第１放熱板５１は表示パネル２３の長辺と略同一長さの長板状の部材である。図１８に示すように、第１放熱板５１は、長板状の受熱部７１、複数の固定孔７２を有する長板状の固定部７３および長手方向に沿って屈曲した長板状の放熱部７４を備える。第１放熱板５１は、受熱部７１、固定部７３および放熱部７４が長手方向の１辺で繋がった一体の部品である。図１７に示すように、放熱部７４は矩形の配線孔５４を８個有する。
【００６８】
本実施の形態の第２放熱板５２は、表示パネル２３の短辺と略同一長さである事および配線孔５４を中央部に１個だけ備える事の他は、第１放熱板５１と同様の形状である。本実施の形態の第２放熱板５２については、図示を省略する。
【００６９】
図１９は、実施の形態２の表示装置１０の斜視断面拡大図である。図１９は、図１のＡ−Ａ線により切断した断面の上部を右斜め前から見た部分拡大斜視図である。図１９を使用して、本実施の形態の表示装置１０について説明する。
【００７０】
本実施の形態においては、固定爪４５および下側突起４８を備えず、平坦な下面を有するホルダ４１を使用する。
【００７１】
表示パネル２３および光学シート１７の後側に、平面部３１１および傾斜部３１２を備える収容体３１が配置されている。傾斜部３１２の後側に、ホルダ４１が押さえ爪４３を斜め上前方に向けて両面テープを用いて固定されている。表示パネル２３の縁で後側に屈曲したドライバ基板２４に接続されたソース基板２５が、押さえ爪４３とホルダ土台４２との間に差し込まれている。ソースコネクタ２６には、ソース基板２５と制御基板１５とを繋ぐ配線材５７が接続されている。
【００７２】
ドライバ基板２４の上側からホルダ４１の後側にかけて、第１放熱板５１が配置されている。ドライバ基板２４は弾性により第１放熱板５１の下面の接触部５５に接触している。ドライバ基板２４の接触部５５に接触している部分の下側に、ドライバ２９が実装されている。表示パネル２３の前側の縁および第１放熱板５１の上側の縁は、前枠１３で覆われている。
【００７３】
前枠１３の前側および上側は、側面筐体１６で覆われている。側面筐体１６は、Ｌ字の上部に短い横棒を有する形状の断面を備える柱状部材である。Ｌ字の縦棒の部分が表示装置１０の上側に、横棒の部分が表示装置１０の前側に配置されている。短い横棒の部分は、第１放熱板５１の固定部７３の前側の面に当接している。
【００７４】
第１放熱板５１の背面および収容体３１の平面部３１１は、背面筐体１９で覆われている。側面筐体１６の短い横棒の部分、第１放熱板５１の固定部７３および背面筐体１９の縁は、この順番で前側から積層しており、筐体固定ねじ５９により共締めされている。
【００７５】
表示パネル２３の下側、右側および左側の縁でも同様の構造により、傾斜部３１２に固定されたホルダ４１にソース基板２５またはゲート基板２７が差し込まれる。また、ドライバ２９で発生した熱が第１放熱板５１または第２放熱板５２に伝達される。
【００７６】
本実施の形態によると、ドライバ２９から熱を受け取る受熱部７１と他の部材に固定する固定部７３とが分岐した放熱板を使用する。そのため、筐体固定ねじ５９を挿通する孔により熱の伝搬経路が細くならないので、ドライバ２９の熱を効率良く放熱する事ができる。
【００７７】
［実施の形態３］
本実施の形態は、ドライバ２９と放熱板の接触部５５とを直接接触させる表示装置１０に関する。実施の形態２と共通する部分については、説明を省略する。
【００７８】
図２０は、実施の形態３の表示装置１０の斜視断面拡大図である。図２０は、図１９と同様に表示装置１０を表示パネル２３に垂直な面で短辺に沿った方向に切断した断面の上部を右斜め前から見た部分拡大斜視図である。図２０を使用して、本実施の形態の表示装置１０について説明する。
【００７９】
本実施の形態のドライバ基板２４は、上側の面にドライバ２９を有する。ドライバ基板２４とソース基板２５とは、両者の間に挟まれた図示しない異方性導電フィルムにより接続されている。
【００８０】
ドライバ基板２４の上側からホルダ４１の後側にかけて、第１放熱板５１が配置されている。ドライバ基板２４の弾性によりドライバ２９は第１放熱板５１の下面の接触部５５に接触している。
【００８１】
本実施の形態によると、ドライバ２９と放熱板とがドライバ基板２４を介さずに直接接触するので、ドライバ２９で発生した熱が効率良く放熱板に伝達し、放熱される。
【００８２】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【００８３】
以上のように、本発明にかかる表示装置１０は、映像を表示する表示パネル２３と、前記表示パネル２３の周縁に接続され該表示パネル２３の背面側に屈曲した軟性基板２４と、前記軟性基板２４に固定された集積回路２９と、前記表示パネル２３の縁よりも外側に配置されており、前記集積回路２９または前記軟性基板２３の前記集積回路２９が固定された部分の裏側に接触する接触部５５を有する放熱板５１、５２とを備える。
【００８４】
本発明にあっては、本実施の形態によると、表示パネル２３の近傍に実装された集積回路２９の動作不良、故障等の問題の発生を避けた表示装置１０を提供することができる。
【００８５】
本発明にかかる表示装置１０は、前記軟性基板２４は、前記表示パネル２３に接続された部分と前記集積回路２９が固定された部分との間で屈曲している。
【００８６】
本発明にあっては、軟性基板２４の端部に接続されたソース基板２５およびゲート基板２７を収容体３１の傾斜部３１２に沿って表示パネル２３の後方に配置することができる。そのため、多数のソース基板２５およびゲート基板２７を使用する場合にも映像を表示する面以外の部分を小型化した表示装置１０を提供することができる。
【００８７】
本発明にかかる表示装置１０は、前記放熱板５１、５２は、前記接触部５５において前記表示パネル２３に対して垂直である。
【００８８】
本発明にあっては、軟性基板２４が表示パネル２３の縁の近傍で垂直に屈曲する。軟性基板２４の弾性により、軟性基板２４のドライバ２９が実装された場所が放熱板５１、５２の接触部５５に押し付けられる。そのため、集積回路２９で発生した熱が第１放熱板５１または第２放熱板５２に効率良く伝達され、放熱が行われる。
【００８９】
本発明にかかる表示装置は、前記放熱板は、アルミニウム合金製である。
【００９０】
軽量で熱伝導性の高いアルミニウム合金製の放熱板５１、５２を使用することにより、放熱板を使用することによる表示装置１０の重量増加を防ぐことができる。
【００９１】
本発明にかかるテレビジョン受信機は、上述のいずれか一つに記載の表示装置１０と、テレビジョン放送を受信する受信部１４とを備え、前記受信部１４にて受信したテレビジョン放送に基づいて、前記表示装置１０に映像を表示するようにしてある。
【００９２】
本発明にあっては、映像信号処理の規模が大きいたとえば８Ｋ等の場合でも、表示パネル２３の近傍に実装された集積回路２９の動作不良、故障等の問題の発生を避けたテレビジョン受信機を提供することができる。
【符号の説明】
【００９３】
１０  表示装置
１３  前枠
１４  入力基板
１５  制御基板
１６  側面筐体
１７  光学シート
１９  背面筐体
２１  取付金具
２２  取付孔
２３  表示パネル
２４  ドライバ基板
２５  ソース基板
２６  ソースコネクタ
２７  ゲート基板
２８  接続コネクタ
２９  ドライバ
３１  収容体
３１１  平面部
３１２  傾斜部
３１３  Ｌ型孔
３１４  丸型孔
３４  ＬＥＤ基板
３５  反射シート
４１  ホルダ
４２  ホルダ土台
４３  押さえ爪
４４  ホルダ後縁部
４５  固定爪
４６  押さえ板
４７  薄肉部
４８  下側突起
４９  上側突起
５１  第１放熱板
５２  第２放熱板
５３  段差部
５４  配線孔
５５  接触部
５７  配線材
５９  筐体固定ねじ
７１  受熱部
７２  固定孔
７３  固定部
７４  放熱部
【図１】
2017053905.tif 000003
【図２】
2017053905.tif 000004
【図３】
2017053905.tif 000005
【図４】
2017053905.tif 000006
【図５】
2017053905.tif 000007
【図６】
2017053905.tif 000008
【図７】
2017053905.tif 000009
【図８】
2017053905.tif 000010
【図９】
2017053905.tif 000011
【図１０】
2017053905.tif 000012
【図１１】
2017053905.tif 000013
【図１２】
2017053905.tif 000014
【図１３】
2017053905.tif 000015
【図１４】
2017053905.tif 000016
【図１５】
2017053905.tif 000017
【図１６】
2017053905.tif 000018
【図１７】
2017053905.tif 000019
【図１８】
2017053905.tif 000020
【図１９】
2017053905.tif 000021
【図２０】
2017053905.tif 000022